(57)【要約】【課題】入室時の異常状態の発生を精度良く判定できて、システムの信頼性を十分に高めることが可能な警備システムを提供する。【解決手段】入室タイマを有し警戒・解除操作可能なコントローラ及び出入り口等に配置されて異常状態を検知可能なセンサを有する警備対象施設と、センタータイマ及びセンター制御部を有する警備会社とを備え、前記コントローラとセンター制御部とが通信回線で接続された警備システムにおいて、前記コントローラは、前記センサが異常状態の場合に前記入室タイマを作動させて入室信号をセンター制御部に送信すると共に、入室タイマの作動中に、解除操作がされた場合は解除信号を前記センター制御部に送信し解除操作がされない場合は警報信号をセンター制御部に送信することを特徴とする。【選択図】  図４
2009176109.tif 000002
【特許請求の範囲】
【請求項１】
入室タイマを有し警戒・解除操作可能なコントローラ及び出入り口等に配置されて異常状態を検知可能なセンサを有する警備対象施設と、センタータイマ及びセンター制御部を有する警備会社とを備え、前記コントローラとセンター制御部とが通信回線で接続された警備システムにおいて、
前記コントローラは、前記センサが異常状態の場合に前記入室タイマを作動させて入室信号をセンター制御部に送信すると共に、入室タイマの作動中に、解除操作がされた場合は解除信号を前記センター制御部に送信し解除操作がされない場合は警報信号をセンター制御部に送信することを特徴とする警備システム。
【請求項２】
前記センター制御部は、前記コントローラから入室信号が着信された場合に前記センタータイマを作動させ、該センタータイマの作動中に、前記コントローラから解除信号が着信された場合は解除確認動作を行い解除信号が着信されない場合は異常発生処理を行うことを特徴とする請求項１に記載の警備システム。
【発明の詳細な説明】
【技術分野】
【０００１】
本発明は、警備対象施設と警備会社との間が電話回線網やインターネット網、無線等の通信回線で接続された警備システムに関する。
【背景技術】
【０００２】
一般的に、警備対象施設と警備会社のセンターとの間を通信回線で接続した警備システムにおいては、警備対象施設の出入り口等に侵入者（人体）を検知するセンサが設けられており、このセンサは該警備対象施設内に設けられたコントローラに接続されている。コントローラには、リモコンが有線もしくは無線で接続されており、このリモコンの警戒・解除釦の操作やコントローラの操作部により警備システムの解除や警戒設定が可能となっている。
【０００３】
そして、警備員や警備対象施設の住人（警備員等という）が当該警備対象施設にその出入り口から出たり入ったりする場合、出入り口に配置したセンサが警備員等を検知しても一定時間警報を発しないように、すなわち警報発信を一定時間遅らせる遅延時間が設けられている。従来、この警備対象施設の出入り口における入室時の遅延時間の設定は、警備対象施設のコントローラに設けた入室タイマに予め所定時間を設定することにより行っている。なお、この種の警備システムに関する公報としては、例えば特許文献１がある。
【特許文献１】特開２００２−２３６９８６号公報
【発明の開示】
【発明が解決しようとする課題】
【０００４】
しかしながら、このような警備システムにあっては、入室時の遅延時間の設定がコントローラに設けた入室タイマによって行われており、例えば賊等の侵入者が警備対象施設内に違法に侵入した場合等に、入室タイマは動作するものの該入室タイマの遅延時間が経過するまで警備会社に警報が通報されないため、入室タイマの作動中に、侵入者によりコントローラの通報部等が破壊されると、それ以後、警報（異常状態の発生）が警備会社に通報されなくなり、警備システムの信頼性を十分に高めることが難しい。
【０００５】
本発明は、このような事情に鑑みてなされたもので、その目的は、入室時の異常状態の発生を精度良く判定できて、システムの信頼性を十分に高めることが可能な警備システムを提供することにある。
【課題を解決するための手段】
【０００６】
かかる目的を達成すべく、本発明のうち請求項１に記載の発明は、入室タイマを有し警戒・解除操作可能なコントローラ及び出入り口等に配置されて異常状態を検知可能なセンサを有する警備対象施設と、センタータイマ及びセンター制御部を有する警備会社とを備え、前記コントローラとセンター制御部とが通信回線で接続された警備システムにおいて、前記コントローラは、前記センサが異常状態の場合に前記入室タイマを作動させて入室信号をセンター制御部に送信すると共に、入室タイマの作動中に、解除操作がされた場合は解除信号を前記センター制御部に送信し解除操作がされない場合は警報信号をセンター制御部に送信することを特徴とする。
【０００７】
そして、前記センター制御部は、請求項２に記載の発明のように、前記コントローラから入室信号が着信された場合に前記センタータイマを作動させ、該センタータイマの作動中に、前記コントローラから解除信号が着信された場合は解除確認動作を行い解除信号が着信されない場合は異常発生処理を行うことが好ましい。
【発明の効果】
【０００８】
本発明のうち請求項１に記載の発明によれば、警備対象施設のコントローラが、センサ異常が発生すると、入室信号をセンター制御部に送信すると共に解除操作に応じた解除信号もしくは警報信号をセンター制御部に送信するため、例えば侵入者によりコントローラ等が破壊された場合でも、センター制御部が入室信号により異常状態を認識できて、入室時の異常発生を精度良く判定でき、警備システムの信頼性を十分に高めることができる。
【０００９】
また、請求項２に記載の発明によれば、請求項１に記載の発明の効果に加え、センター制御部が、コントローラからの入室信号によるセンタータイマの作動中に、コントローラから解除信号が着信されない場合に異常発生処理を行うため、センタータイマの設定時間内で異常状態か解除状態かを判断できて、設定時間を所定に設定することにより、異常発生を一層精度良く判定することができる。
【発明を実施するための最良の形態】
【００１０】
以下、本発明の実施の形態を図面に基づいて詳細に説明する。
図１〜図５は、本発明に係わる警備システムの一実施形態を示し、図１がその概略構成図、図２が警備対象施設のコントローラのブロック図、図３が警備会社のセンター制御部のブロック図、図４がコントローラの動作の一例を示すフローチャート、図５がセンター制御部の動作の一例を示すフローチャートである。
【００１１】
図１に示すように、警備システム１は、工場の事務所、店、一般家庭等の警備対象施設２と、この警備対象施設２と電話回線網やインターネット網、あるいは無線等の通信回線４で接続された警備会社３等で構成され、警備対象施設２は、該警備対象施設２への出入り口に配置された熱線センサ等のセンサ５及び該センサ５が接続されたコントローラ６等を備え、また、警備会社３は、センター制御部７を備えている。
【００１２】
前記コントローラ６は、図２に示すように、ＣＰＵ８ａ及び後述する入室タイマ８ｂを有する制御部８を備え、この制御部８の入力側には、電源入力部９と操作パネル等の操作部１０及び前記センサ５が接続されたセンサ入力部１１等が接続され、制御部８の出力側には、表示部１２と音声出力部１３及びリレー出力部１４等が接続されている。また、制御部８には、前記電話回線網が接続されるモデム等の電話回線部１５と前記インターネット網が接続されるＩＰ部１６及び無線入出力部１７が接続されている。
【００１３】
さらに、制御部８には、リモコン２０（図１参照）が接続されるリモコン入力部１８と、後述するプログラムやセンサ５の状態等が記憶される記憶部１９が接続されている。そして、制御部８は、センサ入力部１１に入力されるセンサ５の検知信号、リモコン２０の操作信号あるいは入室タイマ８ｂ等に基づき後述するように所定の処理を行い、各種信号を無線入出力部１７を介して、センター制御部７に送信したりセンター制御部７から所定の信号を受信するようになっている。
【００１４】
また、前記警備会社３の前記センター制御部７は、図３に示すように、受信装置２１と処理装置２２等で構成され、受信装置２１は、入力側の通信部２３と出力側の通信部２４及び制御部２５を有し、処理装置２２は、通信部２６と、センタータイマ２７ａを有する制御部２７、表示部２８、操作部２９及び記憶部３０等を有している。そして、受信装置２１の通信部２３が前記コントローラ６の無線入出力部１７に接続されて、コントローラ６から送信される各種信号が受信装置２１で受信され、この受信した信号が処理装置２２で適宜に処理されて、警備対象施設２が常時監視できるようになっている。
【００１５】
次に、このように構成された警備システム１の動作の一例を図４及び図５のフローチャートに基づいて説明する。なお、図４に示すフローチャートは、前記コントローラ６の動作を示し、記憶部１９に記憶されたプログラムにより自動的に実行され、また、図５に示すフローチャートは、センター制御部７の動作を示し、記憶部３０に記憶されたプログラムにより自動的に実行される。
【００１６】
まず、コントローラ６の動作は、図４に示すように、コントローラ６の電源が投入されるとプログラムがスタート（Ｓ１００）し、センサ５の入力が異常か否かが判断（Ｓ１０１）される。この判断Ｓ１０１で「ＹＥＳ」の場合、すなわち警備対象施設２の出入り口に配置されたセンサ５が人体を検知した場合は、入室タイマ８ｂがスタート（Ｓ１０２）し、入室信号を無線入出力部１７から通信回線４によりセンター制御部７に送信（Ｓ１０３）し、その後、解除操作が有りか否かが判断（Ｓ１０４）される。なお、ステップＳ１０３の入室信号のセンター制御部７への送信時に、後述するセンタータイマ２７ａのタイマ信号を同時に送信することもできる。
【００１７】
前記判断Ｓ１０４は、コントローラ６の操作部１０の操作により解除操作が行われたか否かを判断するもので、この判断Ｓ１０４で「ＮＯ」の場合、すなわち解除操作がされない場合は、入室タイマ８ｂがカウント（Ｓ１０５）し、その後入室タイマ８ｂがカウントアップか否かが判断（Ｓ１０６）される。なお、コントローラ６による解除操作は、例えばリモコン２０による解除操作時に使用したカードや鍵、テンキー等の暗証番号により操作可能となっている。
【００１８】
そして、判断Ｓ１０６で「ＮＯ」の場合、すなわち、予め設定した入室タイマ８ｂのタイマ時間が経過していない場合は、判断Ｓ１０４に戻り、また、判断Ｓ１０６で「ＹＥＳ」の場合、すなわち入室タイマ８ｂがカウントアップしてタイマ時間が経過した場合は、警報状態を確認（Ｓ１０７）し、警報信号をセンター制御部７に送信（Ｓ１０８）して、一連のプログラムがエンド（Ｓ１１１）となる。
【００１９】
一方、前記判断Ｓ１０４で「ＹＥＳ」の場合、すなわち解除操作が行われた場合は、警備対象施設２が警備員の巡回による解除状態と確認（Ｓ１０９）し、解除信号をセンター制御部７に送信（Ｓ１１０）してエンド（Ｓ１１１）となる。また、前記判断Ｓ１０１で「ＮＯ」の場合、すなわちセンサ５の入力が正常の場合は、直ちにエンド（Ｓ１１１）となる。つまり、コントローラ６は、センサ入力が異常の場合で、入室タイマ８ｂがスタートして入室信号をセンター制御部７に送信した後に、例えば侵入者が侵入した時のように入室タイマ８ｂがカウントアップする前に解除操作がされない場合は、異常状態と判定して警報信号を送信し、例えば警備員の巡回時のように解除操作がある場合は、解除状態と判定して解除信号を送信することになる。
【００２０】
このコントローラ６の動作に関連して、前記センター制御部７は、図５に示すように動作する。すなわち、センター制御部７の電源が投入されるとプログラムがスタート（Ｓ２００）し、入室信号の着信が有りか否かが判断（Ｓ２０１）され、この判断Ｓ２０１は「ＹＥＳ」になるまで繰返される。判断Ｓ２０１で「ＹＥＳ」の場合、すなわち警備対象施設２のコントローラ６から送信される入室信号がセンター制御部７の受信装置２１で着信されると、センタータイマ２７ａのカウントをセットすると共に入室信号の着信をセット（Ｓ２０２）し、その後、解除信号が着信か否かが判断（Ｓ２０３）される。なお、ステップＳ２０２におけるセンタータイマ１７ａのカウントセットは、センター制御部７の操作によって行われるが、例えば前述したコントローラ６から入室信号と同時に送信されるタイマ信号によって行うことも可能である。
【００２１】
この判断Ｓ２０３で「ＮＯ」の場合、すなわちコントローラ６から解除信号が送信されず着信がない場合は、センタータイマ２７ａがカウントをスタート（Ｓ２０４）させ、次にセンタータイマ２７ａがカウントアップか否かが判断（Ｓ２０５）される。この判断Ｓ２０５で「ＮＯ」の場合、すなわち、予め設定したセンタータイマ２７ａのタイマ時間が経過していない場合は、判断Ｓ２０３に戻り、判断Ｓ２０５で「ＹＥＳ」の場合、すなわちセンタータイマ２７ａがカウントダウンしてタイマ時間が経過した場合は、入室異常発生を確認（Ｓ２０６）して、警備員が警備対象施設２に出向くため等の所定の入室異常発生処理（Ｓ２０７）を行い、その後、一連のプログラムがエンド（Ｓ２１０）となる。
【００２２】
一方、前記判断Ｓ２０３で「ＹＥＳ」の場合、すなわちコントローラ６から解除信号が送信されて着信した場合は、ステップＳ２０２でセットした入室信号をリセット（Ｓ２０８）し、警備対象施設２が解除状態であることを確認（Ｓ２０９）し、異常発生処理等を行うことなく直ちにエンド（Ｓ２１０）となる。つまり、センター制御部７は、入室信号が着信された場合で、例えば侵入者が侵入した時のようにコントローラ６が解除操作されず解除信号が着信されない場合に、警備対象施設２が異常状態と判定して入室異常発生処理を行い、また、例えば警備員の巡回時のように解除操作があって解除信号が着信された場合は、解除状態と判定して異常処理はしないことになる。
【００２３】
このように、上記実施形態の警備システム１にあっては、警備対象施設２において、センサ異常の場合に、入室タイマ８ｂが作動すると共にセンター制御部７に入室信号が送信され、入室タイマ８ｂの作動中に、解除操作がされた場合に解除信号がセンター制御部７に送信され、解除操作がされない場合に警報信号がセンター制御部７に送信されるため、センサ異常が発生すると、入室信号が自動的にセンター制御部７に送信されることになり、例えば侵入者によりコントローラ６等が破壊されても、警報信号の元となる入室信号の送信が可能となる。
【００２４】
また、警備会社３においては、コントローラ６からの入室信号によるセンター制御部７のセンタータイマ２７ａの作動中に、コントローラ６から解除信号が着信された場合に解除状態と判定し、コントローラ６から解除信号が着信されない場合に異常発生処理を行うため、センタータイマ２７ａを所定に設定することにより、その設定時間内で異常状態か解除状態かを判断することができる。これらにより、警備対象施設２の入室時の異常状態の発生を、従来の単に遅延時間設定用の入室タイマによる警備システムに比較して精度良く判定できて、その信頼性を十分に高めることが可能となる。
【００２５】
また、コントローラ６やセンター制御部７に入室タイマ８ｂやセンタータイマ２７ａを設けると共にプログラムの変更等で対応できるため、例えばコントローラ６等に既に設けられているタイマを利用することができて、コスト的に有利な警備システム１を提供することができる。
【００２６】
なお、上記実施形態においては、コントローラ６の解除操作をリモコン２０によって行ったが、例えば通信回線としての電話回線網やインタネット網を使用して、携帯電話等の端末により解除操作を行うようにしても良い。また、上記実施形態における、コントローラ６やセンター制御部７の具体的構成、その動作を示すフロチャート等は一例であって、他の構成やフローチャートを採用する等、本発明に係わる各発明の要旨を逸脱しない範囲において適宜に変更することができる。
【産業上の利用可能性】
【００２７】
本発明は、警備対象施設と警備会社が電話回線網やインターネット網あるいは無線で接続された全ての警備システムに利用できる。
【図面の簡単な説明】
【００２８】
【図１】本発明に係わる警備システムの一実施形態を示す概略構成図
【図２】同警備対象施設のコントローラのブロック図
【図３】同警備会社のセンター制御部のブロック図
【図４】同コントローラの動作の一例を示すフローチャート
【図５】同センター制御部の動作の一例を示すフローチャート
【符号の説明】
【００２９】
１・・・警備システム、２・・・警備対象施設、３・・・警備会社、４・・・通信回線、５・・・センサ、６・・・コントローラ、７・・・センター制御部、８・・・制御部、８ａ・・・ＣＰＵ、８ｂ・・・入室タイマ、９・・・電源入力部、１０・・・操作部、１１・・・センサ入出力部、１２・・・表示部、１３・・・音声出力部、１４・・・リレー出力部、１５・・・電話回線部、１６・・・ＩＰ部、１７・・・無線入出力部、１８・・・リモコン入力部、２０・・・リモコン、２１・・・受信装置、２２・・・処理装置、２７・・・制御部、２７ａ・・・センタータイマ。
【図１】
2009176109.tif 000003
【図２】
2009176109.tif 000004
【図３】
2009176109.tif 000005
【図４】
2009176109.tif 000006
【図５】
2009176109.tif 000007